(57)【特許請求の範囲】
【請求項１】
第１携帯端末及び第２携帯端末と通信し、第１時間ごとに前記第１携帯端末及び前記第２携帯端末の位置情報を取得し、災害の場所に関する情報を含む特定情報を前記第１携帯端末及び前記第２携帯端末に送信する通信部と、
前記第１携帯端末及び前記第２携帯端末の使用者と、前記第１携帯端末及び前記第２携帯端末の位置情報の開示先との関係を示す使用者情報データベースと、前記第１携帯端末の位置情報及び前記第２携帯端末の位置情報を有する位置情報データベースを記録する記録部とを備えた位置情報サーバーであって、
前記使用者情報データベースに、前記第２携帯端末の位置情報の開示先として、前記第１携帯端末の使用者が設定された場合、前記位置情報サーバーは、前記使用者情報データベースと前記位置情報データベースとに基づいて、前記特定情報が前記位置情報サーバーから前記第１携帯端末及び前記第２携帯端末へ発信される前の第１期間の間、前記第１携帯端末に、前記特定情報と前記第２携帯端末の位置情報を表示させずに、前記第１携帯端末の位置情報と、前記第１携帯端末の位置情報を取得した時間情報と、前記第２携帯端末の位置情報を取得した時間情報を表示させ、
前記使用者情報データベースに、前記第２携帯端末の位置情報の開示先として、前記第１携帯端末の使用者が設定された場合、前記位置情報サーバーは、前記使用者情報データベースと前記位置情報データベースとに基づいて、前記特定情報が発信された後の第２期間の間、前記第１携帯端末に、前記特定情報と、前記第１携帯端末の位置情報と、前記第１携帯端末の位置情報を取得した時間情報と、前記第２携帯端末の位置情報と、前記第２携帯端末の位置情報を取得した時間情報を表示させることを特徴とする位置情報サーバー。
【請求項２】
前記使用者情報データベースに、前記第２携帯端末の位置情報の開示先として、前記第１携帯端末の使用者が設定され、且つ前記第２携帯端末の使用者による前記第２携帯端末の操作であって、前記第１携帯端末に前記第２携帯端末の位置情報を開示させるための第１特定操作が行われた場合には、前記第１期間であっても、前記第１携帯端末に、前記第１携帯端末の位置情報と、前記第１携帯端末の位置情報を取得した時間情報と、前記第２携帯端末の位置情報と、前記第２携帯端末の位置情報を取得した時間情報を表示させることを特徴とする請求項１に記載の位置情報サーバー。
【請求項３】
前記使用者情報データベースは、前記第１携帯端末及び前記第２携帯端末の使用者と、前記第１携帯端末及び前記第２携帯端末の位置情報の開示先と、開示する位置情報の詳細度合いであって前記開示先ごとに設定されたものとの関係を示すものであり、
前記使用者情報データベースに、前記第２携帯端末の位置情報の開示先として、前記第１携帯端末の使用者が設定された場合であって、且つ前記第２期間の間及び前記第２携帯端末の使用者による前記第２携帯端末の操作で前記第１特定操作が行われた場合に、前記第２携帯端末の位置情報は、前記使用者情報データベースに設定された詳細度合いで、前記第１携帯端末に表示されることを特徴とする請求項２に記載の位置情報サーバー。
【請求項４】
前記第１携帯端末に表示される前記第２携帯端末の位置情報は、前記位置情報データベースに記録された位置情報、若しくは、前記位置情報データベースに記録されたものから、前記使用者情報データベースに設定された詳細度合いで調整された粗い位置情報であることを特徴とする請求項３に記載の位置情報サーバー。
【請求項５】
前記使用者情報データベースに、前記第２携帯端末の位置情報の開示先として、メールアドレス若しくは携帯電話番号が設定された場合であって、且つ前記第２期間の間及び前記第２携帯端末の使用者による前記第２携帯端末の操作で前記メールアドレス若しくは前記携帯電話番号に前記第２携帯端末の位置情報を開示させるための操作が行われた場合に、前記使用者情報データベースに設定された詳細度合いの前記第２携帯端末の位置情報を含むメッセージを、前記メールアドレスへの電子メール若しくは前記携帯電話番号へのＳＭＳで送信することを特徴とする請求項３に記載の位置情報サーバー。
【請求項６】
前記使用者情報データベースは、前記第１携帯端末及び前記第２携帯端末の使用者と、前記第１携帯端末及び前記第２携帯端末の位置情報の開示先と、開示する位置情報の詳細度合いであって前記開示先ごとに設定されたものとの関係を示すものであり、
前記第２携帯端末の使用者による前記第２携帯端末の操作であって、所定の詳細度合いで前記第２携帯端末の位置情報を開示する対象として、前記第１携帯端末の使用者を指定するための第２特定操作が行われた場合に、前記使用者情報データベースに、前記所定の詳細度合いでの前記第２携帯端末の位置情報の開示先として、前記第１携帯端末の使用者が設定されることを特徴とする請求項１に記載の位置情報サーバー。
【請求項７】
前記使用者情報データベースは、前記第１携帯端末及び前記第２携帯端末の使用者と、前記第１携帯端末及び前記第２携帯端末の位置情報の開示先と、開示する位置情報の詳細度合いであって前記開示先ごとに設定されたものとの関係を示すものであり、
前記第１携帯端末の使用者による前記第１携帯端末の操作であって、前記第２携帯端末の位置情報の開示を依頼するための第３特定操作が行われた後、
前記第２携帯端末の使用者による前記第２携帯端末の操作であって、所定の詳細度合いで前記第１携帯端末に前記第２携帯端末の位置情報を開示することを回答するための第４特定操作が行われた場合に、前記使用者情報データベースに、前記所定の詳細度合いでの前記第２携帯端末の位置情報の開示先として、前記第１携帯端末の使用者が設定されることを特徴とする請求項１に記載の位置情報サーバー。
【請求項８】
前記位置情報データベースは、前記第１携帯端末の使用者の安否情報であって前記第１携帯端末から送られてきたもの、及び前記第２携帯端末の使用者の安否情報であって前記第２携帯端末から送られてきたものを有するものであり、
前記使用者情報データベースに、前記第２携帯端末の位置情報の開示先として、前記第１携帯端末の使用者が設定された場合、前記位置情報サーバーは、前記使用者情報データベースと前記位置情報データベースとに基づいて、前記第２期間の間、前記第１携帯端末に、前記特定情報と、前記第１携帯端末の位置情報と、前記第１携帯端末の位置情報を取得した時間情報と、前記第２携帯端末の位置情報と、前記第２携帯端末の位置情報を取得した時間情報と、前記第２携帯端末の使用者の安否情報を表示させることを特徴とする請求項１に記載の位置情報サーバー。
【請求項９】
前記位置情報サーバーから解除情報が前記第１携帯端末及び前記第２携帯端末に発信された時に前記第２期間が終了し、その後、次の第１期間が開始されることを特徴とする請求項１に記載の位置情報サーバー。
【請求項１０】
複数の携帯端末と通信し、第１時間ごとに前記複数の携帯端末の位置情報を取得し、災害の場所に関する情報を含む特定情報を前記複数の携帯端末に送信する通信部と、
前記複数の携帯端末のそれぞれについて、使用者と、携帯端末の位置情報の開示先との関係を示す使用者情報データベースと、前記複数の携帯端末の位置情報を有する位置情報データベースを記録する記録部とを備えた位置情報サーバーであって、
前記位置情報サーバーは、前記使用者情報データベースと前記位置情報データベースとに基づいて、前記特定情報が前記位置情報サーバーから前記複数の携帯端末へ発信される前の第１期間の間、前記複数の携帯端末のそれぞれに、前記特定情報と前記複数の携帯端末のうち他の携帯端末の位置情報を表示させずに、前記複数の携帯端末のうち自身の携帯端末の位置情報と、前記自身の携帯端末の位置情報を取得した時間情報と、前記他の携帯端末の位置情報を取得した時間情報を表示させ、
前記位置情報サーバーは、前記使用者情報データベースと前記位置情報データベースとに基づいて、前記特定情報が発信された後の第２期間の間、前記複数の携帯端末のそれぞれに、前記特定情報と、前記自身の携帯端末の位置情報と、前記自身の携帯端末の位置情報を取得した時間情報と、前記他の携帯端末の位置情報と、前記他の携帯端末の位置情報を取得した時間情報を表示させることを特徴とする位置情報サーバー。
【発明の詳細な説明】
【技術分野】
【０００１】
本発明は、携帯端末に、当該携帯端末と別の携帯端末の位置情報を表示させる位置情報サーバーに関する。
【背景技術】
【０００２】
特許文献１などで、携帯端末に、当該携帯端末と別の携帯端末の位置情報を開示する位置情報システムが提案されている。
【先行技術文献】
【特許文献】
【０００３】
【特許文献１】特開２００９−１６５０９１号公報
【発明の概要】
【発明が解決しようとする課題】
【０００４】
しかしながら、位置に関連する情報は、災害情報などの特定情報が発信された時に限定される。
【０００５】
したがって本発明の目的は、他の携帯端末の使用者のプライバシー保護を考慮しつつ、当該他の携帯端末の位置若しくは当該他の携帯端末の使用者の安否に関する情報を開示する位置情報サーバーを提供することである。
【課題を解決するための手段】
【０００６】
本発明に係る位置情報サーバーは、第１携帯端末及び第２携帯端末と通信し、第１時間ごとに第１携帯端末及び第２携帯端末の位置情報を取得し、災害の場所に関する情報を含む特定情報を第１携帯端末及び第２携帯端末に送信する通信部と、第１携帯端末及び第２携帯端末の使用者と、第１携帯端末及び第２携帯端末の位置情報の開示先との関係を示す使用者情報データベースと、第１携帯端末の位置情報及び第２携帯端末の位置情報を有する位置情報データベースを記録する記録部とを備えた位置情報サーバーであって、使用者情報データベースに、第２携帯端末の位置情報の開示先として、第１携帯端末の使用者が設定された場合、位置情報サーバーは、使用者情報データベースと位置情報データベースとに基づいて、特定情報が位置情報サーバーから第１携帯端末及び第２携帯端末へ発信される前の第１期間の間、第１携帯端末に、特定情報と第２携帯端末の位置情報を表示させずに、第１携帯端末の位置情報と、第１携帯端末の位置情報を取得した時間情報と、第２携帯端末の位置情報を取得した時間情報を表示させ、使用者情報データベースに、第２携帯端末の位置情報の開示先として、第１携帯端末の使用者が設定された場合、位置情報サーバーは、使用者情報データベースと位置情報データベースとに基づいて、特定情報が発信された後の第２期間の間、第１携帯端末に、特定情報と、第１携帯端末の位置情報と、第１携帯端末の位置情報を取得した時間情報と、第２携帯端末の位置情報と、第２携帯端末の位置情報を取得した時間情報を表示させる。
【０００７】
特定情報の発信後は、携帯端末（第１携帯端末）に、他の携帯端末（第２携帯端末）の位置情報も開示されるが、特定情報が発信されるまでは、他の携帯端末の位置情報が開示されることはなく、当該他人のプライバシーを保護することが出来る。
当該他の携帯端末の位置情報までは開示されないが、位置情報サーバーが当該他の携帯端末の位置情報を取得した時間情報が開示されるので、現在時刻から近い過去に、当該他の携帯端末が位置情報サーバーと通信出来る状況にあるか否かなど、他の携帯端末の位置若しくは当該他の携帯端末の使用者の安否に関する間接的な情報を知ることが出来る。
【０００８】
好ましくは、使用者情報データベースに、第２携帯端末の位置情報の開示先として、第１携帯端末の使用者が設定され、且つ第２携帯端末の使用者による第２携帯端末の操作であって、第１携帯端末に第２携帯端末の位置情報を開示させるための第１特定操作が行われた場合には、第１期間であっても、第１携帯端末に、第１携帯端末の位置情報と、第１携帯端末の位置情報を取得した時間情報と、第２携帯端末の位置情報と、第２携帯端末の位置情報を取得した時間情報を表示させる。
【０００９】
第２携帯端末の使用者が当該第２携帯端末の位置情報を開示することを自らの第１特定操作（位置情報開示手動操作）で行った場合には、特定情報が発信される前（第１期間）であっても、他人が使用する携帯端末（第１携帯端末）に当該位置情報を開示する。
ただし、位置情報を開示する携帯端末（第２携帯端末）の使用者が承諾している状態なので、当該携帯端末の位置情報が開示されることでプライバシー保護の問題が発生することはない。
【００１０】
さらに好ましくは、使用者情報データベースは、第１携帯端末及び第２携帯端末の使用者と、第１携帯端末及び第２携帯端末の位置情報の開示先と、開示する位置情報の詳細度合いであって開示先ごとに設定されたものとの関係を示すものであり、使用者情報データベースに、第２携帯端末の位置情報の開示先として、第１携帯端末の使用者が設定された場合であって、且つ第２期間の間及び第２携帯端末の使用者による第２携帯端末の操作で第１特定操作が行われた場合に、第２携帯端末の位置情報は、使用者情報データベースに設定された詳細度合いで、第１携帯端末に表示される。
【００１１】
開示先ごとに設定された位置情報の詳細度合いによって、位置情報を開示する対象ごとに、細かい位置情報を開示したり、粗い位置情報を開示したりすることを調整することが可能になる。
【００１２】
さらに好ましくは、第１携帯端末に表示される第２携帯端末の位置情報は、位置情報データベースに記録された位置情報、若しくは、位置情報データベースに記録されたものから、使用者情報データベースに設定された詳細度合いで調整された粗い位置情報である。
【００１３】
携帯端末（第１携帯端末）上に表示する際に、使用者情報データベースなどに基づいて、位置情報ソフトウエア上で、第２携帯端末の位置情報の詳細度合いが調整されるため、位置情報サーバーが各携帯端末の位置情報を取得する際や、位置情報サーバーが各携帯端末へ位置情報を送信する際に、位置情報の詳細度合いを調整すること（使用者情報データベースの設定内容に合わせて、細かい位置情報を粗い位置情報に修正すること）に必要な位置情報サーバーの負荷を軽減することが出来る。
【００１４】
また、好ましくは、使用者情報データベースに、第２携帯端末の位置情報の開示先として、メールアドレス若しくは携帯電話番号が設定された場合であって、且つ第２期間の間及び第２携帯端末の使用者による第２携帯端末の操作でメールアドレス若しくは携帯電話番号に第２携帯端末の位置情報を開示させるための操作が行われた場合に、使用者情報データベースに設定された詳細度合いの第２携帯端末の位置情報を含むメッセージを、メールアドレスへの電子メール若しくは携帯電話番号へのＳＭＳで送信する。
【００１５】
特定のソフトウエアやブラウザソフトの有無を考慮する必要なく、電子メール若しくはＳＭＳで特定の携帯端末の位置情報を送信し開示することが可能になる。
【００１６】
また、好ましくは、使用者情報データベースは、第１携帯端末及び第２携帯端末の使用者と、第１携帯端末及び第２携帯端末の位置情報の開示先と、開示する位置情報の詳細度合いであって開示先ごとに設定されたものとの関係を示すものであり、第２携帯端末の使用者による第２携帯端末の操作であって、所定の詳細度合いで第２携帯端末の位置情報を開示する対象として、第１携帯端末の使用者を指定するための第２特定操作が行われた場合に、使用者情報データベースに、所定の詳細度合いでの第２携帯端末の位置情報の開示先として、第１携帯端末の使用者が設定される。
【００１７】
使用者が使用する携帯端末（第２携帯端末）の位置情報を開示する相手（第１携帯端末）は、第２特定操作（位置情報開示指定操作）により、当該使用者が使用する携帯端末（第２携帯端末）で設定されるため、設定されない相手に対して、勝手に当該使用者が使用する携帯端末（第２携帯端末）の位置情報が開示されることはない。
【００１８】
また、好ましくは、使用者情報データベースは、第１携帯端末及び第２携帯端末の使用者と、第１携帯端末及び第２携帯端末の位置情報の開示先と、開示する位置情報の詳細度合いであって開示先ごとに設定されたものとの関係を示すものであり、第１携帯端末の使用者による第１携帯端末の操作であって、第２携帯端末の位置情報の開示を依頼するための第３特定操作が行われた後、第２携帯端末の使用者による第２携帯端末の操作であって、所定の詳細度合いで第１携帯端末に第２携帯端末の位置情報を開示することを回答するための第４特定操作が行われた場合に、使用者情報データベースに、所定の詳細度合いでの第２携帯端末の位置情報の開示先として、第１携帯端末の使用者が設定される。
【００１９】
使用者が使用する携帯端末（第２携帯端末）の位置情報を開示する相手（第１携帯端末）は、当該相手（第１携帯端末）からの第３特定操作（位置情報開示依頼操作）に対する第４特定操作（位置情報開示回答操作）により、当該使用者が使用する携帯端末（第２携帯端末）で設定されるため、設定されない相手に対して、勝手に当該使用者が使用する携帯端末（第２携帯端末）の位置情報が開示されることはない。
【００２０】
また、好ましくは、位置情報データベースは、第１携帯端末の使用者の安否情報であって第１携帯端末から送られてきたもの、及び第２携帯端末の使用者の安否情報であって第２携帯端末から送られてきたものを有するものであり、使用者情報データベースに、第２携帯端末の位置情報の開示先として、第１携帯端末の使用者が設定された場合、位置情報サーバーは、使用者情報データベースと位置情報データベースとに基づいて、第２期間の間、第１携帯端末に、特定情報と、第１携帯端末の位置情報と、第１携帯端末の位置情報を取得した時間情報と、第２携帯端末の位置情報と、第２携帯端末の位置情報を取得した時間情報と、第２携帯端末の使用者の安否情報を表示させる。
【００２１】
また、好ましくは、位置情報サーバーから解除情報が第１携帯端末及び第２携帯端末に発信された時に第２期間が終了し、その後、次の第１期間が開始される。
【００２２】
本発明に係る位置情報サーバーは、複数の携帯端末と通信し、第１時間ごとに複数の携帯端末の位置情報を取得し、災害の場所に関する情報を含む特定情報を複数の携帯端末に送信する通信部と、複数の携帯端末のそれぞれについて、使用者と、携帯端末の位置情報の開示先との関係を示す使用者情報データベースと、複数の携帯端末の位置情報を有する位置情報データベースを記録する記録部とを備えた位置情報サーバーであって、位置情報サーバーは、使用者情報データベースと位置情報データベースとに基づいて、特定情報が位置情報サーバーから複数の携帯端末へ発信される前の第１期間の間、複数の携帯端末のそれぞれに、特定情報と複数の携帯端末のうち他の携帯端末の位置情報を表示させずに、複数の携帯端末のうち自身の携帯端末の位置情報と、自身の携帯端末の位置情報を取得した時間情報と、他の携帯端末の位置情報を取得した時間情報を表示させ、位置情報サーバーは、使用者情報データベースと位置情報データベースとに基づいて、特定情報が発信された後の第２期間の間、複数の携帯端末のそれぞれに、特定情報と、自身の携帯端末の位置情報と、自身の携帯端末の位置情報を取得した時間情報と、他の携帯端末の位置情報と、他の携帯端末の位置情報を取得した時間情報を表示させる。
【発明の効果】
【００２３】
以上のように本発明によれば、他の携帯端末の使用者のプライバシー保護を考慮しつつ、当該他の携帯端末の位置若しくは当該他の携帯端末の使用者の安否に関する情報を開示する位置情報サーバーを提供することができる。
【図面の簡単な説明】
【００２４】
【図１】本実施形態における位置情報出力システムの構成図である。
【図２】使用者情報データベースのコンテンツを示す図である。
【図３】使用者情報データベースで、開示先ＩＤなどが登録される前の状態を示す図である。
【図４】位置情報データベースのコンテンツを示す図である。
【図５】第１期間であって、使用者ＩＤ：２０１でログインした第５１携帯端末における位置情報ソフトウエアの表示画面例を示す図である。
【図６】第１期間であって、使用者ＩＤ：２０２でログインした第５２携帯端末における位置情報ソフトウエアの表示画面例を示す図である。
【図７】第１期間であって、使用者ＩＤ：２０２でログインした第５２携帯端末における位置情報ソフトウエアの表示画面例で、使用者ＩＤ：２０１でログインした第５１携帯端末で位置情報手動開示動作が行われ、位置情報が送られてきた状態を示す図である。
【図８】第２期間であって、使用者ＩＤ：２０１でログインした第５１携帯端末における位置情報ソフトウエアの表示画面例を示す図である。
【図９】第２期間であって、使用者ＩＤ：２０２でログインした第５２携帯端末における位置情報ソフトウエアの表示画面例を示す図である。
【図１０】第１期間であって、使用者ＩＤ：２０１でログインした第５１携帯端末における位置情報ソフトウエアの表示画面例で、使用者ＩＤ：２０３でログインした第５３携帯端末で位置情報開示依頼操作が行われた後、位置情報開示回答操作が行われる状態を示す図である。
【図１１】図２の状態から、使用者ＩＤ：２０１でログインした第５１携帯端末における位置情報ソフトウエアで、位置情報開示指定操作若しくは位置情報開示回答操作が行われ、開示先ＩＤとして使用者ＩＤ：２０３が追加された後の使用者情報データベースを示す図である。
【図１２】使用者ＩＤ：２０１でログインした第５１携帯端末における位置情報ソフトウエアで、開示先ＩＤとして使用者ＩＤ：２０３を追加する位置情報開示指定操作が行われる状態を示す図である。
【図１３】使用者ＩＤ：２０１でログインした第５１携帯端末における位置情報ソフトウエアで、開示先メールアドレスとしてｐｉｒ＠ｓｔｕ．ｃｏｍを追加する位置情報開示指定操作が行われる状態を示す図である。
【図１４】図２の状態から、使用者ＩＤ：２０１でログインした第５１携帯端末における位置情報ソフトウエアで、位置情報開示指定操作が行われ、開示先メールアドレスとしてｐｉｒ＠ｓｔｕ．ｃｏｍが追加された後の使用者情報データベースを示す図である。
【図１５】使用者ＩＤ：２０１でログインした第５１携帯端末における位置情報ソフトウエアで、災害時に、メールアドレス：ｐｉｒ＠ｓｔｕ．ｃｏｍに送られる電子メールであって、使用者ＩＤ：２０１でログインした第５１携帯端末の位置情報を含むものの例を示す図である。
【発明を実施するための形態】
【００２５】
以下、本実施形態について、図を用いて説明する。本実施形態における位置情報出力システム１は、情報源発信部２０、位置情報サーバー３０（通信部３１、記録部３３、制御部３５）、携帯電話などの携帯端末（第５１携帯端末Ｍ５１〜第５５携帯端末Ｍ５５）を備える（図１参照）。
ただし、携帯端末の数は、５つに限るものではない。
【００２６】
第５１携帯端末Ｍ５１〜第５５携帯端末Ｍ５５のいずれかが、位置情報を開示する携帯端末で、特許請求の範囲に記載された「第２携帯端末」若しくは「他の携帯端末」に相当し、第５１携帯端末Ｍ５１〜第５５携帯端末Ｍ５５のうち第２携帯端末に相当するものと異なる別のものが、当該第２携帯端末の位置情報の開示を受ける（当該第２携帯端末の位置情報を表示する）「第１携帯端末」若しくは「自身の携帯端末」に相当する。
【００２７】
本実施形態では、使用者名称：田中が使用者ＩＤ：２０１で第５１携帯端末Ｍ５１にインストールされた位置情報ソフトウエアにログインし、使用者名称：佐藤が使用者ＩＤ：２０２で第５２携帯端末Ｍ５２にインストールされた位置情報ソフトウエアにログインし、使用者名称：鈴木が使用者ＩＤ：２０３で第５３携帯端末Ｍ５３にインストールされた位置情報ソフトウエアにログインし、使用者名称：中村が使用者ＩＤ：２０４で第５４携帯端末Ｍ５４にインストールされた位置情報ソフトウエアにログインし、使用者名称：山本が使用者ＩＤ：２０５で第５５携帯端末Ｍ５５にインストールされた位置情報ソフトウエアにログインする例を示す。
【００２８】
情報源発信部２０は、特定情報を位置情報サーバー３０の通信部３１に出力する。
特定情報は、少なくとも災害の場所に関する情報を有し、本実施形態では、災害の種別、場所、及び日時に関する情報を有する。
本実施形態では、特定情報が、地震に関する災害情報であるとして説明するが、他の災害情報であってもよい。また、地震発生報告など過去に発生した情報だけでなく、地震予知など将来に発生が予測される情報であってもよい。
【００２９】
本実施形態では、特定情報が、災害の種別：地震、場所：香川県高松市、日時：２０１５年８月３日１０時３０分、最大震度：５弱、マグニチュード６を有するものであるとして説明する。
【００３０】
情報源発信部２０は、位置情報サーバー３０とネットワーク接続が可能な状態で、気象庁など災害の情報を発信出来る場所に設置される。
ただし、情報源発信部２０を設置せず、災害の情報を受けて、入出力端末７０を介して、位置情報サーバー３０に特定情報を入力する形態であってもよい。
【００３１】
次に位置情報サーバー３０の各部（通信部３１、記録部３３、制御部３５）について、説明する。
【００３２】
位置情報サーバー３０の通信部３１は、使用者情報データベースＤ１に登録された携帯端末（第５１携帯端末Ｍ５１〜第５５携帯端末Ｍ５５）のそれぞれと通信を行い、これらの携帯端末に対して特定情報を発信する前から、第１時間Ｔ１（たとえば、３０分）ごとに、各携帯端末の位置情報を取得する。
【００３３】
たとえば、各携帯端末にインストールされた所定のソフトウエア（位置情報ソフトウエア）を使って、位置情報サーバー３０の通信部３１に対して第１時間Ｔ１ごとに位置情報を送信する形態が考えられる。
【００３４】
また、位置情報サーバー３０の通信部３１が、通信キャリアにおける、携帯端末と無線リンクを形成する基地局、携帯端末のルーチング（通信ルートの選定）や呼設定・切断、課金等を行う移動交換機（ＭＳＣ：Mobile Switching Center）、移動交換機がカバーするエリアごとの位置登録データベースであるＶＬＲ（Visitor Location Register）、ゲートウェイ交換機（ＧＭＳＣ：Gateway Mobile Switching Center）、携帯電話番号や当該携帯端末の識別情報（ＩＭＥＩなど端末の識別番号、ＩＣＣＩＤなどＳＩＭカードの識別番号）や位置情報などのユーザー情報を管理するデータベースであるＨＬＲ（Home Location Register）の何れかと通信を行い、各携帯端末の位置情報を取得する形態が考えられる。
【００３５】
通信キャリアにおける基地局などから各携帯端末の位置情報を取得する場合は、当該携帯端末にインストールされた位置情報ソフトウエア上で、他の携帯端末の位置情報や安否情報などが表示される形態に代え、位置情報などを提供するＡＳＰ（Application Service Provider）サービスにログインした携帯端末のウェブ上に、他の携帯端末の位置情報や安否情報などが表示される形態であってもよい。
【００３６】
各携帯端末の位置情報を取得する際には、位置情報の詳細度合いの制限は設けず、取得出来る最も詳細なレベルの位置情報を取得し、これが位置情報データベースＤ２に記録される。
ただし、携帯端末（第１携帯端末）に他の携帯端末（第２携帯端末）の位置情報を開示する際には、当該他の携帯端末の使用者によって設定された「開示する位置情報の詳細度合い」に基づいて、位置情報の詳細度合いが調整される。
【００３７】
また、位置情報サーバー３０の通信部３１は、情報源発信部２０からの特定情報を受信し、当該特定情報の受信後（若しくは、入出力端末７０による当該特定情報の入力後）に、使用者情報データベースＤ１に基づいて、使用者情報データベースＤ１に登録された携帯端末（第５１携帯端末Ｍ５１〜第５５携帯端末Ｍ５５）に、当該特定情報などを送信し、当該携帯端末からの安否回答情報を受信する。
【００３８】
位置情報サーバー３０の記録部３３は、使用者情報データベースＤ１、位置情報データベースＤ２を記録する。
【００３９】
使用者情報データベースＤ１は、携帯端末の使用者と、当該使用者の位置情報の開示先（開示先ＩＤ若しくは開示先メールアドレス）と、開示する位置情報の詳細度合い（平常時、災害時）であって当該開示先ごとに設定されたものとの関係を示すもので、携帯端末それぞれに対応する使用者名称、使用者ＩＤ（位置情報ソフトウエアへログインするための識別番号）、開示先ＩＤ／メールアドレス（位置情報を開示する相手の使用者ＩＤ若しくはメールアドレス）、平常時（位置情報サーバー３０が特定情報を発信する前の第１期間）に開示する位置情報の詳細度合い、災害時（位置情報サーバー３０が特定情報を発信した後の第２期間）に開示する位置情報の詳細度合いを有する（図２参照）。
【００４０】
位置情報ソフトウエア上で使用者の新規登録が行われると、新規登録された使用者名称と使用者ＩＤが、使用者情報データベースＤ１における「使用者名称欄」と「使用者ＩＤ欄」に登録される。
【００４１】
使用者の新規登録が完了した直後は、位置情報を開示する相手先は設定されておらず（図３参照）、後述する手順（第１の設定手順（位置情報開示依頼操作と位置情報開示回答操作）と第２の設定手順（位置情報開示指定操作））のいずれかで設定されたコンテンツが、使用者情報データベースＤ１における「開示先ＩＤ／メールアドレス欄」、「平常時であって位置情報手動開示操作が行われた時に開示するに開示する位置情報の詳細度合い欄」、「災害時に開示する位置情報の詳細度合い欄」に登録される。
【００４２】
本実施形態では、３段階（０：開示しない、１：粗い位置情報（たとえば、都道府県レベル）を開示する、２：細かい位置情報（たとえば、番地レベル）を開示する）の詳細度合いが設定可能な形態を説明するが、２段階若しくは４段階以上に設定可能な形態であってもよい。
【００４３】
図２は、使用者名称：田中（使用者ＩＤ：２０１）がログインした携帯端末（第１携帯端末Ｍ５１）は、使用者ＩＤ：２０２が使用する携帯端末（第５２携帯端末Ｍ５２）に対して、平常時も災害時も粗い位置情報を開示し、使用者ＩＤ：２０４が使用する携帯端末（第５４携帯端末Ｍ５４）に対して、平常時も災害時も細かい位置情報を開示し、メールアドレス：abc@efg.comに対して、平常時も災害時も粗い位置情報を開示する設定が行われた例を示す。
また、図２は、使用者名称:佐藤（使用者ＩＤ：２０２）がログインした携帯端末（第２携帯端末Ｍ５２）は、使用者ＩＤ：２０１が使用する携帯端末（第５１携帯端末Ｍ５１）や使用者ＩＤ：２０５が使用する携帯端末（第５５携帯端末Ｍ５５）に対して、平常時も災害時も細かい位置情報を開示する設定が行われた例を示す。
また、図２は、使用者名称：鈴木（使用者ＩＤ：２０３）がログインした携帯端末（第３携帯端末Ｍ５３）は、使用者ＩＤ：２０１が使用する携帯端末（第５１携帯端末Ｍ５１）に対して、平常時も災害時も細かい位置情報を開示し、メールアドレス：hij@klm.jpに対して、平常時は粗い位置情報を開示し、災害時は細かい位置情報を開示する設定が行われた例を示す。
また、図２は、使用者名称：中村（使用者ＩＤ：２０４）がログインした携帯端末(第４携帯端末Ｍ５４)は、使用者ＩＤ：２０１が使用する携帯端末（第５１携帯端末Ｍ５１）に対して、平常時は位置情報を開示せず、災害時は粗い位置情報を開示し、使用者ＩＤ：２０３が使用する携帯端末（第３携帯端末Ｍ５３）に対して、平常時も災害時も細かい位置情報を開示する設定が行われた例を示す。
また、図２は、使用者名称：山本（使用者ＩＤ：２０５）がログインした携帯端末（第５携帯端末Ｍ５５）は、使用者ＩＤ：２０２が使用する携帯端末（第５２携帯端末Ｍ５２）に対して、平常時は粗い位置情報を開示し、災害時は細かい位置情報を開示する設定が行われた例を示す。
【００４４】
位置情報データベースＤ２は、使用者と、当該使用者に対応する携帯端末と、当該携帯端末の位置情報と、当該使用者の安否情報との関係を示すもので、携帯端末にインストールされた位置情報ソフトウエアにログインした使用者名称、当該携帯端末名称、当該携帯端末の位置情報（緯度経度、地域名称、測位日時）、当該使用者の安否情報（安否種類）を有する（図４参照）。
【００４５】
位置情報データベースＤ２における位置情報（緯度経度、測位日時）は、第１時間Ｔ１ごとに、位置情報サーバー３０の通信部３１が使用者情報データベースＤ１に登録された携帯端末（第５１携帯端末Ｍ５１〜第５５携帯端末Ｍ５５）と通信することにより、若しくは、通信部３１が通信キャリアにおける基地局などと通信することにより取得される。
【００４６】
位置情報の地域名称は、緯度経度情報を地域名称に変換するテーブル（不図示）を使って、携帯端末の緯度経度情報が地域名称に変換されたものである。
【００４７】
位置情報データベースＤ２における安否情報は、位置情報サーバー３０の通信部３１が使用者情報データベースＤ１に登録された携帯端末（第５１携帯端末Ｍ５１〜第５５携帯端末Ｍ５５）に特定情報を送信した時に初期化され、安否種類欄のパラメータ（安否種類パラメータ）は、総ての携帯端末の使用者の安否が不明であることを示す初期値（＝０）に設定される。
【００４８】
初期化された後、位置情報データベースＤ２における安否情報は、当該携帯端末から安否回答情報を受信した時に更新される。
【００４９】
携帯端末にインストールされた位置情報ソフトウエア上で、当該携帯端末の使用者によって安否回答のための特定の操作（安否回答操作）が行われた場合に、安否種類欄のパラメータの値が１（無事であることを示す安否種類パラメータ）や２（無事でないことを示す安否種類パラメータ）に変更される。すなわち、当該安否回答のための特定の操作が行われない状態においては、初期値：０が維持される。
【００５０】
安否回答操作は、たとえば、携帯端末にインストールされた位置情報ソフトウエア上で、安否種類として「無事である（安否種類パラメータ：１）」か「無事でない（安否種類パラメータ：２）」のいずれかを選択する第１操作と、第１操作で選択した情報（安否回答情報）を位置情報サーバー３０に送信する指示を行う第２操作を有する。
安否回答操作は、第１操作と第２操作のように複数の操作で構成される形態であってもよいし、１つの操作で完結する形態であってもよい。
【００５１】
位置情報サーバー３０の制御部３５は、通信部３１や記録部３３を制御する。
【００５２】
具体的には、制御部３５は、位置情報サーバー３０が情報源発信部２０から特定情報を受信した時に、通信部３１を介して、使用者情報データベースＤ１に登録された携帯端末（第５１携帯端末Ｍ５１〜第５５携帯端末Ｍ５５）に当該特定情報を送信させる。
【００５３】
また、制御部３５は、位置情報サーバー３０が第５１携帯端末Ｍ５１〜第５５携帯端末Ｍ５５から、後述する位置情報開示指定操作などによって、使用者の位置情報の開示先や開示する位置情報の詳細度合いに関する情報を受信した時に、記録部３３に記録された使用者情報データベースＤ１を更新する。
【００５４】
また、制御部３５は、位置情報サーバー３０が第５１携帯端末Ｍ５１〜第５５携帯端末Ｍ５５の位置情報を受信した時に、記録部３３に記録された位置情報データベースＤ２を更新する。
【００５５】
また、制御部３５は、携帯端末の使用者による安否回答操作に基づき、位置情報サーバー３０が第５１携帯端末Ｍ５１〜第５５携帯端末Ｍ５５から安否回答情報を受信した時に、記録部３３に記録された位置情報データベースＤ２を更新する。
【００５６】
また、制御部３５は、通信部３１を介して、使用者情報データベースＤ１と位置情報データベースＤ２に基づいて、当該位置情報ソフトウエアにログインした使用者（本人）の携帯端末に対して、第１時間Ｔ１ごとに、位置情報と安否情報であって、当該位置情報ソフトウエアにログインした使用者（本人）に位置情報を開示する設定を行った使用者（他人）のものを送信する。
【００５７】
平常時も災害時も、位置情報サーバー３０は、携帯端末へ「他人」の位置情報（当該他人がログインした携帯端末の位置情報）を送信しておき、位置情報ソフトウエア上で、平常時は位置情報を表示せず、災害時や後述する位置情報手動開示操作（第１特定操作）が行われた時だけ位置情報を表示するような、位置情報の表示制御が行われる。
ただし、平常時は、位置情報サーバー３０から携帯端末へ「他人」の位置情報は送信せず、当該「他人」の位置情報を取得した時間情報だけを送信し、災害時や位置情報手動開示操作が行われた時は、位置情報サーバー３０から携帯端末へ「他人」の位置情報や当該位置情報を取得した時間情報を送信する形態であってもよい。
【００５８】
また、細かい詳細度合いの位置情報が、位置情報サーバー３０から各携帯端末に送信され、使用者情報データベースＤ１に設定された内容（平常時であって位置情報手動開示操作が行われた時に開示する位置情報の詳細度合いや、災害時に開示する位置情報の詳細度合い）に基づいて、位置情報ソフトウエア上で、位置情報として表示する詳細度合いが制御される。
この場合には、位置情報サーバー３０から送信される位置情報の詳細度合いを総て細かいものに統一することが出来、位置情報サーバー３０から位置情報を送信する際の負荷を軽減することが出来る。
ただし、位置情報サーバー３０から各携帯端末に位置情報を送信する段階で、使用者情報データベースＤ１に設定された内容に基づいて、送信する携帯端末ごと、更に開示先ごとに詳細度合いを変えた状態で位置情報を各携帯端末に送信する形態であってもよい。
【００５９】
次に、携帯端末にインストールされた位置情報ソフトウエアの詳細について説明する。
【００６０】
平常時（位置情報サーバー３０が特定情報を発信する前の第１期間）は、位置情報ソフトウエアは、使用者（本人、図５などでは、「わたし」と表記）がログインした携帯端末（第１携帯端末）の位置情報、当該位置情報を取得した時間情報、当該使用者に対して、位置情報を開示する設定を行った使用者（他人）の名称、及び当該「他人」がログインした携帯端末（第２携帯端末）の位置情報を取得した時間情報を表示する（図５、図６参照）。
【００６１】
当該「本人」がログインした携帯端末の位置情報は、細かい位置情報が表示される。
ただし、平常時は、当該「他人」がログインした携帯端末の位置情報や当該「他人」の安否情報は開示しない。
【００６２】
図５は、使用者名称：田中（使用者ＩＤ：２０１）がログインした携帯端末（第５１携帯端末Ｍ５１）において、位置情報ソフトウエア上に表示されるコンテンツの例で、「本人」に関する情報として、使用者名称：田中の携帯端末（第５１携帯端末Ｍ５１）の位置情報：東京都港区芝公園３と当該位置情報を取得した時間情報：２時間００分前を有し、当該使用者（田中、使用者ＩＤ：２０１）に対して、位置情報を開示する設定を行った使用者「他人」に関する情報として、使用者名称：佐藤（使用者ＩＤ：２０２）と携帯端末（第５２携帯端末Ｍ５２）の位置情報を取得した時間情報：１時間３０分前と、使用者名称：鈴木（使用者ＩＤ：２０３）と携帯端末（第５３携帯端末Ｍ５３）の位置情報を取得した時間情報：２時間３０分前と、使用者名称：中村（使用者ＩＤ：２０４）と携帯端末（第５４携帯端末Ｍ５４）の位置情報を取得した時間情報：０時間３０分前を有する。
【００６３】
図６は、使用者名称：佐藤（使用者ＩＤ：２０２）がログインした携帯端末（第５２携帯端末Ｍ５２）において、位置情報ソフトウエア上に表示されるコンテンツの例で、「本人」に関する情報として、使用者名称：佐藤の携帯端末（第５２携帯端末Ｍ５２）の位置情報：千葉県浦安市舞浜１と当該位置情報を取得した時間情報：１時間３０分前を有し、当該使用者（佐藤、使用者ＩＤ：２０２）に対して、位置情報を開示する設定を行った使用者「他人」に関する情報として、使用者名称：田中（使用者ＩＤ：２０１）と携帯端末（第５１携帯端末Ｍ５１）の位置情報を取得した時間情報：２時間００分前と、使用者名称：山本（使用者ＩＤ：２０５）と携帯端末（第５５携帯端末Ｍ５５）の位置情報を取得した時間情報：０時間３０分前を有する。
【００６４】
「本人」がログインした携帯端末の位置情報は、第１期間内であっても、当該「本人」の操作に基づいて、使用者情報データベースＤ１に登録された使用者（本人）の位置情報の開示先（開示先ＩＤ若しくはメールアドレス）に対して、開示することが出来る。
【００６５】
具体的には、携帯端末にインストールされた位置情報ソフトウエア上で、位置情報開示のための特定の操作（位置情報手動開示操作（第１特定操作））が行われた場合に、当該携帯端末の使用者の位置情報が、指定した詳細度合いで、開示先に設定された使用者ＩＤでログインされた携帯端末に開示され、開示先に設定されたメールアドレスに送信される。
【００６６】
たとえば、図５に示される状態（使用者名称：田中（使用者ＩＤ：２０１）がログインした状態の位置情報ソフトウエアの表示画面）で、位置情報手動開示操作が行われた場合には、使用者名称：田中（使用者ＩＤ：２０１）の携帯端末（第５１携帯端末Ｍ５１）の位置情報（東京都港区芝公園３）が、使用者名称：佐藤（使用者ＩＤ：２０２）がログインした携帯端末（第５２携帯端末Ｍ５２）に対して粗い位置情報（東京都）で開示され（図７参照）、使用者名称：中村（使用者ＩＤ：２０４）がログインした携帯端末（第５４携帯端末Ｍ５４）に対して細かい位置情報（東京都港区芝公園３）で開示され、メールアドレス：ａｂｃ＠ｅｆｇ．ｃｏｍに対して粗い位置情報（東京都）で送信される。
図７に示すように、使用者名称：佐藤（使用者ＩＤ：２０２）がログインした携帯端末（第５２携帯端末Ｍ５２）では、携帯端末にログインした使用者（使用者名称：佐藤（使用者ＩＤ：２０２））から見て他人（使用者名称：田中（使用者ＩＤ：２０１））であって、当該他人が位置情報の開示指示を行ったもの（当該他人がログインした携帯端末（第５１携帯端末Ｍ５１）で位置情報手動開示操作を行ったもの）が使用する携帯端末（第５１携帯端末Ｍ５１）の位置情報（東京都）も開示されることになる。
【００６７】
また、図６に示される状態（使用者名称：佐藤（使用者ＩＤ：２０２）がログインした状態の位置情報ソフトウエアの表示画面）で、位置情報手動開示操作が行われた場合には、使用者名称：佐藤（使用者ＩＤ：２０２）の携帯端末（第５２携帯端末Ｍ５２）の位置情報（千葉県浦安市舞浜１）が、使用者名称：田中（使用者ＩＤ：２０１）がログインした携帯端末（第５１携帯端末Ｍ５１）に対して細かい位置情報（千葉県浦安市舞浜１）で開示され、使用者名称：山本（使用者ＩＤ：２０５）がログインした携帯端末（第５５携帯端末Ｍ５５）に対して細かい位置情報（千葉県浦安市舞浜１）で開示される。
【００６８】
位置情報手動開示操作は、たとえば、当該位置情報ソフトウエアの表示画面上で、ログインした使用者（本人、図５などでは、「わたし」と表記）の位置情報を表示する領域をクリックする第３操作と、第３操作後に使用者情報データベースＤ１に登録した開示先に対して位置情報を開示する指示を行う第４操作を有する。
位置情報手動開示操作は、第３操作と第４操作のように複数の操作で構成される形態であってもよいし、１つの操作で完結する形態であってもよい。
【００６９】
災害時（位置情報サーバー３０が特定情報を発信した後であって、位置情報サーバー３０が解除情報を発信する前の第２期間）は、位置情報ソフトウエアは、当該特定情報、使用者（本人）がログインした携帯端末（第１携帯端末）の位置情報、当該位置情報を取得した時間情報、当該使用者に対して、位置情報を開示する設定を行った使用者（本人）の名称、当該「他人」がログインした携帯端末（第２携帯端末）の位置情報、当該位置情報を取得した時間情報、及び当該「他人」の安否情報を表示する（図８、図９参照）。
【００７０】
当該「本人」がログインした携帯端末の位置情報は、細かい位置情報が表示される。
当該「他人」がログインした携帯端末の位置情報は、使用者情報データベースＤ１に設定された「災害時に開示する位置情報の詳細度合い」に応じたものが表示される。
すなわち、「他人」がログインした携帯端末の位置情報は、位置情報データベースＤ２に記録された位置情報そのもの（細かい位置情報）、若しくは、使用者情報データベースＤ１に設定された詳細度合いで調整された粗い位置情報が、表示されることになる。
【００７１】
携帯端末（第１携帯端末）上に表示する際に、使用者情報データベースＤ１などに基づいて、位置情報ソフトウエア上で、第２携帯端末の位置情報の詳細度合いが調整されるため、位置情報サーバー３０が各携帯端末の位置情報を取得する際や、位置情報サーバー３０が各携帯端末へ位置情報を送信する際に、位置情報の詳細度合いを調整すること（使用者情報データベースＤ１の設定内容に合わせて、細かい位置情報を粗い位置情報に修正すること）に必要な位置情報サーバー３０の負荷を軽減することが出来る。
また、位置情報サーバー３０の位置情報データベースＤ２には、使用者情報データベースＤ１の設定内容に関係なく、細かい位置情報が記録出来るので、使用者情報データベースＤ１における開示する位置情報の詳細度合いの設定を変更した場合には、粗い位置情報を細かい位置情報に変えることも出来る。
【００７２】
図８は、使用者名称：田中（使用者ＩＤ：２０１）がログインした携帯端末（第５１携帯端末Ｍ５１）において、位置情報ソフトウエア上に表示されるコンテンツの例で、特定情報として、場所：香川県高松市、時間：１０時３０分、最大震度：５弱、マグニチュード：６を有し、「本人」に関する情報として、使用者名称：田中の携帯端末（第５１携帯端末Ｍ５１）の位置情報：東京都港区芝公園３と当該位置情報を取得した時間情報：２時間００分前を有し、当該使用者（田中、使用者ＩＤ：２０１）に対して、位置情報を開示する設定を行った使用者「他人」に関する情報として、使用者名称：佐藤（使用者ＩＤ：２０２）と携帯端末（第５２携帯端末Ｍ５２）の位置情報：千葉県浦安市舞浜１と当該位置情報を取得した時間情報：１時間３０分前と安否種類：無事である（無事）と、使用者名称：佐藤（使用者ＩＤ：２０３）と携帯端末（第５３携帯端末Ｍ５３）の位置情報：福岡県福岡市博多区空港前４丁目と当該位置情報を取得した時間情報：２時間３０分前と安否種類：無事でない（助けて）と、使用者名称：中村（使用者ＩＤ：２０４）と携帯端末（第５４携帯端末Ｍ５４）の位置情報：静岡県と当該位置情報を取得した時間情報：０時間３０分前と安否種類:安否回答なし（不明）を有する。
【００７３】
図９は、使用者名称：佐藤（使用者ＩＤ：２０２）がログインした携帯端末（第５２携帯端末Ｍ５２）において、位置情報ソフトウエア上に表示されるコンテンツの例で、特定情報として、場所：香川県高松市、時間：１０時３０分、最大震度：５弱、マグニチュード：６を有し、「本人」に関する情報として、使用者名称：佐藤の携帯端末（第５２携帯端末Ｍ５２）の位置情報：千葉県浦安市舞浜１と当該位置情報を取得した時間情報：１時間３０分前を有し、当該使用者（佐藤、使用者ＩＤ：２０２）に対して、位置情報を開示する設定を行った使用者「他人」に関する情報として、使用者名称：田中（使用者ＩＤ：２０１）と携帯端末（第５１携帯端末Ｍ５１）の位置情報：東京都と当該位置情報を取得した時間情報：２時間００分前と安否種類：安否回答なし（不明）と、使用者名称：山本（使用者ＩＤ：２０５）と携帯端末（第５５携帯端末Ｍ５５）の位置情報：香川県高松市上之町１と当該位置情報を取得した時間情報：０時間３０分前と安否種類：無事である（無事）を有する。
【００７４】
特定情報の発信後は、携帯端末（第１携帯端末）に、他の携帯端末（第２携帯端末）の位置情報も開示されるが、特定情報が発信されるまでは、他の携帯端末の位置情報が開示されることはなく、当該他人のプライバシーを保護することが出来る。
当該他の携帯端末の位置情報までは開示されないが、位置情報サーバー３０が当該他の携帯端末の位置情報を取得した時間情報が開示されるので、現在時刻から近い過去に、当該他の携帯端末が位置情報サーバー３０と通信出来る状況にあるか否かなど、他の携帯端末の位置若しくは当該他の携帯端末の使用者の安否に関する間接的な情報を知ることが出来る。
【００７５】
また、第２携帯端末の使用者が当該第２携帯端末の位置情報を開示することを自らの第１特定操作（位置情報開示手動操作）で行った場合には、特定情報が発信される前（第１期間）であっても、他人が使用する携帯端末（第１携帯端末）に当該位置情報を開示する。
ただし、位置情報を開示する携帯端末（第２携帯端末）の使用者が承諾している状態なので、当該携帯端末の位置情報が開示されることでプライバシー保護の問題が発生することはない。
【００７６】
また、開示先ごとに設定された位置情報の詳細度合いによって、位置情報を開示する対象ごとに、細かい位置情報を開示したり、粗い位置情報を開示したりすることを調整することが可能になる。
【００７７】
次に、使用者情報データベースＤ１のコンテンツ（位置情報を開示する相手や、開示する位置情報の詳細度合い）の設定手順について説明する。
【００７８】
第１の設定手順（位置情報開示依頼操作と位置情報開示回答操作）は、ある使用者が位置情報の開示を要求し、要求された別の使用者が位置情報の開示を承認するものである。
【００７９】
具体的には、携帯端末（第１携帯端末）にインストールされた位置情報ソフトウエア上で、指定した使用者がログインした携帯端末（第２携帯端末）の位置情報の開示を依頼するための特定の操作（位置情報開示依頼操作（第３特定操作））が行われた場合に、位置情報サーバー３０を介して、当該指定した使用者がログインした携帯端末（第２携帯端末）に位置情報の開示を依頼する旨のメッセージが送信される。
当該メッセージを受信した携帯端末（第２携帯端末）では、当該携帯端末にインストールされた位置情報ソフトウエア上に、当該位置情報開示依頼に関するメッセージを含み、当該位置情報の開示依頼を承認するか否か、承認する場合の開示する位置情報の詳細度合いを選択するための操作画面が表示される。
当該操作画面で、位置情報開示依頼に回答するための特定の操作（位置情報開示回答操作（第４特定操作））が行われた場合に、位置情報サーバー３０に、位置情報の開示に対する回答の情報（当該位置情報の開示依頼を承認するか否か、承認する場合の開示する位置情報の詳細度合い）が送信され、これに基づいて、使用者情報データベースＤ１が更新される。
【００８０】
たとえば、使用者名称：鈴木（使用者ＩＤ：２０３）がログインした携帯端末（第５３携帯端末Ｍ５３）を使って、使用者名称：田中（使用者ＩＤ：２０１）がログインした携帯端末（第５１携帯端末Ｍ５１）の位置情報の開示を要求する位置情報開示依頼操作が行われた場合には、使用者名称：田中（使用者ＩＤ：２０１）がログインした携帯端末（第５１携帯端末Ｍ５１）にインストールされた位置情報ソフトウエア上に、位置情報開示依頼に関するメッセージを含み、当該位置情報の開示依頼を承認するか否か、承認する場合の開示する位置情報の詳細度合いを選択するための操作画面が表示される（図１０参照）。
【００８１】
図１０は、使用者名称：田中（使用者ＩＤ：２０１）が、携帯端末（第５１携帯端末Ｍ５１）にインストールされた位置情報ソフトウエア上で、位置情報開示回答操作として、災害時は高精度の位置情報（細かい位置情報）を開示し、平常時であって位置情報手動開示操作が行われた時は低精度の位置情報（粗い位置情報）を開示することを選択し、これを位置情報サーバー３０に送信する（画面右下の「登録」ボタンをクリックする）前の状態を示す。
【００８２】
ここで、当該「登録」ボタンがクリックされると、当該位置情報開示回答操作が完了し、位置情報の開示に対する回答の情報（使用者名称：鈴木（使用者ＩＤ：２０３）からの、使用者名称：田中（使用者ＩＤ：２０１）がログインした携帯端末（第５１携帯端末Ｍ５１）の位置情報の開示依頼について、災害時は細かい位置情報の開示を承認し、平常時であって位置情報手動開示操作が行われた時は粗い位置情報の開示を承認すること）が、位置情報サーバー３０に送信され、これに基づいて、使用者情報データベースＤ１が更新される（図１１参照）。
【００８３】
図１１は、図２に示す使用者情報データベースＤ１から、使用者名称：田中（使用者ＩＤ：２０１）がログインした携帯端末（第５１携帯端末Ｍ５１）の位置情報を開示する対象として、使用者名称：鈴木（使用者ＩＤ：２０３）が追加された状態を示す。
【００８４】
位置情報開示依頼操作は、たとえば、位置情報の開示依頼を行う使用者がログインした携帯端末にインストールされた位置情報ソフトウエア上で、「位置情報開示者を追加する」と表記された領域をクリックする第５操作と、第５操作後に位置情報の開示を依頼する使用者名称若しくは使用者ＩＤを設定する第６操作を有する。
位置情報開示依頼操作は、第５操作と第６操作のように複数の操作で構成される形態であってもよいし、１つの操作で完結する形態であってもよい。
【００８５】
位置情報開示回答操作は、たとえば、位置情報の開示依頼を受けた使用者がログインした携帯端末にインストールされた位置情報ソフトウエア上で、位置情報の開示を承認するか否か、及び開示する位置情報の詳細度合いを選択する第７操作と、第７操作後に選択した情報を位置情報サーバー３０に送信する指示を行う第８操作を有する。
位置情報開示依頼操作は、第７操作と第８操作のように複数の操作で構成される形態であってもよいし、１つの操作で完結する形態であってもよい。
【００８６】
使用者が使用する携帯端末（第２携帯端末：たとえば、第５１携帯端末Ｍ５１）の位置情報を開示する相手（第１携帯端末：たとえば、第５３携帯端末Ｍ５３）は、当該相手（第１携帯端末）からの第３特定操作（位置情報開示依頼操作）に対する第４特定操作（位置情報開示回答操作）により、当該使用者が使用する携帯端末（第２携帯端末）で設定されるため、設定されない相手に対して、勝手に当該使用者が使用する携帯端末（第２携帯端末）の位置情報が開示されることはない。
【００８７】
第２の設定手順（位置情報開示指定操作）は、使用者が位置情報を開示する対象を設定するものである。
【００８８】
具体的には、携帯端末（第２携帯端末）にインストールされた位置情報ソフトウエア上で、位置情報を開示する対象（当該位置情報ソフトウエアの使用者、若しくはメールアドレス）を指定するための特定の操作（位置情報開示指定操作（第２特定操作））が行われた場合に、指定された使用者若しくはメールアドレスに関する情報と、開示する対象ごとの開示する位置情報の詳細度合いに関する情報が、位置情報サーバー３０に送信され、これに基づいて、使用者情報データベースＤ１が更新される。
【００８９】
たとえば、使用者名称：田中（使用者ＩＤ：２０１）がログインした携帯端末（第５１携帯端末Ｍ５１）の位置情報を、使用者名称：鈴木（使用者ＩＤ：２０３）がログインした携帯端末（第５３携帯端末Ｍ５３）に開示する位置情報開示指定操作を行った場合には、当該位置情報開示指定操作で設定された内容（開示対象の使用者名称：鈴木（使用者ＩＤ：２０３）、災害時は細かい位置情報を開示し、平常時であって位置情報手動開示操作が行われた時は粗い位置情報を開示すること）が、位置情報サーバー３０に送信され、これに基づいて、図１１に示すような内容で、位置情報データベースＤ１が更新される。
【００９０】
図１２は、使用者名称：田中（使用者ＩＤ：２０１）が、携帯端末（第５１携帯端末Ｍ５１）にインストールされた位置情報ソフトウエア上で、位置情報開示指定操作として、使用者名称：鈴木（使用者ＩＤ：２０３）がログインした携帯端末（第５３携帯端末Ｍ５３）に対して、災害時は高精度の位置情報（細かい位置情報）を開示し、平常時であって位置情報手動開示操作が行われた時は低精度の位置情報（粗い位置情報）を開示することを選択し、これを位置情報サーバー３０に送信する（画面右下の「登録」ボタンをクリックする）前の状態を示す。
【００９１】
ここで、当該「登録」ボタンがクリックされると、当該位置情報開示指定操作が完了し、位置情報の開示を指定する旨の情報（使用者名称：鈴木（使用者ＩＤ：２０３）がログインした携帯端末（第５３携帯端末Ｍ５３）に対して、使用者名称：田中（使用者ＩＤ：２０１）がログインした携帯端末（第５１携帯端末Ｍ５１）の位置情報について、災害時は細かい位置情報を開示し、平常時であって位置情報手動開示操作が行われた時は粗い位置情報を開示すること）が、位置情報サーバー３０に送信され、これに基づいて、使用者情報データベースＤ１が更新される（図１１参照）。
【００９２】
使用者が使用する携帯端末（第２携帯端末：たとえば、第５１携帯端末Ｍ５１）の位置情報を開示する相手（第１携帯端末：たとえば、第５３携帯端末Ｍ５３）は、第２特定操作（位置情報開示指定操作）により、当該使用者が使用する携帯端末（第２携帯端末）で設定されるため、設定されない相手に対して、勝手に当該使用者が使用する携帯端末（第２携帯端末）の位置情報が開示されることはない。
【００９３】
また、使用者名称：田中（使用者ＩＤ：２０１）がログインした携帯端末（第５１携帯端末Ｍ５１）の位置情報を、メールアドレス：ｐｉｒ＠ｓｔｕ．ｃｏｍ（表示名：山田）に電子メールで送信する位置情報開示指定操作を行った場合には、当該位置情報開示指定操作で設定された内容（開示対象のメールアドレス：ｐｉｒ＠ｓｔｕ．ｃｏｍ（表示名：山田）、災害時は細かい位置情報を開示し、平常時は位置情報を開示しないこと）が、位置情報サーバー３０に送信され、これに基づいて、位置情報データベースＤ１が更新される。
【００９４】
図１３は、使用者名称：田中（使用者ＩＤ：２０１）が、携帯端末（第５１携帯端末Ｍ５１）にインストールされた位置情報ソフトウエア上で、位置情報開示指定操作として、メールアドレス：ｐｉｒ＠ｓｔｕ．ｃｏｍ（表示名：山田）に対して、災害時は高精度の位置情報（細かい位置情報）を開示し、平常時は位置情報を開示しないことを選択し、これを位置情報サーバー３０に送信する（画面右下の「登録」ボタンをクリックする）前の状態を示す。
【００９５】
ここで、当該「登録」ボタンがクリックされると、当該位置情報開示指定操作が完了し、位置情報の開示を指定する旨の情報（メールアドレス：ｐｉｒ＠ｓｔｕ．ｃｏｍ（表示名：山田）に対して、使用者名称：田中（使用者ＩＤ：２０１）がログインした携帯端末（第５１携帯端末Ｍ５１）の位置情報について、災害時は細かい位置情報を開示し、平常時は位置情報を開示しないこと）が、位置情報サーバー３０に送信され、これに基づいて、使用者情報データベースＤ１が更新される（図１４参照）。
【００９６】
図１４は、図２に示す使用者情報データベースＤ１から、使用者名称：田中（使用者ＩＤ：２０１）がログインした携帯端末（第５１携帯端末Ｍ５１）の位置情報を開示する対象として、メールアドレス：ｐｉｒ＠ｓｔｕ．ｃｏｍが追加された状態を示す。
【００９７】
メールアドレスが位置情報の開示先に設定された場合には、使用者情報データベースＤ１に設定された詳細度合いの位置情報や当該位置情報を開示する者（使用者）の名称を含む電子メールが当該メールアドレス宛に送信される（図１５参照）。
【００９８】
図１５は、使用者ＩＤ：２０１でログインした第５１携帯端末における位置情報ソフトウエアで、災害時に、メールアドレス：ｐｉｒ＠ｓｔｕ．ｃｏｍに送信される電子メールであって、使用者名称：田中（使用者ＩＤ：２０１）がログインした携帯端末（第５１携帯端末Ｍ５１）の細かい位置情報（東京都港区芝公園３）や使用者名称（田中）を含むものの例を示す。
【００９９】
なお、位置情報の開示先は、メールアドレスだけでなく、携帯電話番号が設定される形態であってもよい。
電話番号が位置情報の開示先に設定された場合には、位置情報や当該位置情報を開示する者（使用者）の名称を含むメッセージがＳＭＳで当該電話番号宛に送信される。
【０１００】
特定のソフトウエア（位置情報ソフトウエア）やＡＳＰサービスを受けるためのブラウザソフトの有無を考慮する必要なく、電子メール若しくはＳＭＳで特定の携帯端末の位置情報を、災害時若しくは平常時であってであって位置情報手動開示操作が行われた時に、送信し開示することが可能になる。
【０１０１】
なお、第２期間は、位置情報サーバー３０から解除情報が各携帯端末へ発信された時点で終了し、次の第１期間Ｔ１が開始される。
解除情報は、特定情報に含まれる災害情報に関連する警報が解除された時などに発信されるのが望ましい。
ただし、解除情報の発信に代え、位置情報サーバー３０から特定情報が発信されてから第２時間Ｔ２（Ｔ１＜Ｔ２、たとえば、５時間）が経過した時点で、第２期間を終了させ、次の第１期間を開始させる形態であってもよい。
【０１０２】
また、本実施形態では、位置情報を取得した時間情報を、現在時刻と測位日時（時刻）との差異で表す（たとえば、現在時刻が１０時３０分で、測位日時が８時３０分の場合には、「２時間００分前」と表す）形態を説明したが、測位日時そのものを表す形態であってもよい。
【符号の説明】
【０１０３】
１  位置情報出力システム
２０  情報源発信部
３０  位置情報サーバー
３１  通信部
３３  記録部
３５  制御部
７０  入出力端末
Ｄ１  使用者情報データベース
Ｄ２  位置情報データベース
Ｍ５１〜Ｍ５６  第５１携帯端末〜第５６携帯端末
【図１】
0006346882.tif 000002
【図２】
0006346882.tif 000003
【図３】
0006346882.tif 000004
【図４】
0006346882.tif 000005
【図５】
0006346882.tif 000006
【図６】
0006346882.tif 000007
【図７】
0006346882.tif 000008
【図８】
0006346882.tif 000009
【図９】
0006346882.tif 000010
【図１０】
0006346882.tif 000011
【図１１】
0006346882.tif 000012
【図１２】
0006346882.tif 000013
【図１３】
0006346882.tif 000014
【図１４】
0006346882.tif 000015
【図１５】
0006346882.tif 000016